【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
インクを吐出する印字ヘッドを備え、所定の記録媒体搬送方向に記録媒体を搬送してこの記録媒体に前記印字ヘッドからインクを吐出して画像を形成する画像形成装置における、記録媒体の搬送量を調整する搬送量調整方法において、
前記記録媒体搬送方向に直交する方向に所定距離離れた、前記搬送量によらない寸法をもつ形状と、前記記録媒体搬送方向に所定距離離れた、前記搬送量による寸法をもつ形状とを前記記録媒体に印刷し、
前記搬送量によらない寸法をもつ形状と前記搬送量による寸法をもつ形状とを、前記記録媒体を折って重ね合わせて比較することにより前記搬送量を調整することを特徴とする搬送量調整方法。
【請求項２】
前記搬送量による寸法をもつ形状は所定値ずつ離れて複数あり、前記搬送量を調整する際に、前記記録媒体を折ったとき、前記搬送量によらない寸法をもつ形状が前記搬送量による寸法をもつ複数の形状のうちのどの寸法をもつ形状に一致するかに基づいて前記搬送量を調整することを特徴とする請求項１に記載の搬送量調整方法。
【請求項３】
インクを吐出する印字ヘッドを備え、所定の記録媒体搬送方向に記録媒体を搬送してこの記録媒体に前記印字ヘッドからインクを吐出して画像を形成する画像形成装置における、記録媒体の搬送量を調整する搬送量調整方法において、
前記記録媒体搬送方向に平行又は交差して延びる折り目線と、前記記録媒体搬送方向に平行又は直交して延びると共にこの延びる方向とは直交する方向に並んだ複数の調整線とを記録媒体に印刷し、
所定距離だけ記録媒体を搬送して前記搬送量を調整することを特徴とする搬送量調整方法。
【請求項４】
前記搬送量を調整する際に、記録媒体の一辺が前記複数の調整線のうちのどの線に一致するかに基づいて前記搬送量を調整することを特徴とする請求項３に記載の搬送量調整方法。
【請求項５】
インクを吐出する印字ヘッドを搭載して所定の主走査方向に走査するキャリッジを備え、前記主走査方向に直交する副走査方向に所定の搬送量だけ記録媒体を搬送して一時的に停止させて再び前記搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記搬送量を調整する搬送量調整方法において、
前記副走査方向に所定距離離れた、前記搬送量によらない寸法をもつ形状と、記録媒体の搬送方向に同じ所定距離離れた、前記搬送量による寸法をもつ形状とを前記記録媒体に印刷し、
前記搬送量によらない寸法をもつ形状と前記搬送量による寸法をもつ形状とを、前記記録媒体を折って重ね合わせて比較することにより前記搬送量を調整することを特徴とする搬送量調整方法。
【請求項６】
前記搬送量による寸法をもつ形状は所定値ずつ離れて複数あり、前記搬送量を調整する際に、前記記録媒体を折ったとき、前記搬送量によらない寸法をもつ形状が、前記搬送量による寸法をもつ複数の形状のうちのどの寸法をもつ形状に一致するかに基づいて前記搬送量を調整することを特徴とする請求項５に記載の搬送量調整方法。
【請求項７】
インクを吐出する印字ヘッドを搭載して所定の主走査方向に走査するキャリッジを備え、前記主走査方向に直交する副走査方向に所定の搬送量だけ記録媒体を搬送して一時的に停止させて再び前記搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記所定の搬送量を調整する搬送量調整方法において、
前記主走査方向に交差する方向に延びる折り目線と、前記主走査方向又は前記副走査方向に延びると共にこの延びる方向とは直交する方向に並んだ複数の調整線とを記録媒体に印刷し、
所定距離だけ記録媒体を搬送して前記搬送量を調整することを特徴とする搬送量調整方法。
【請求項８】
前記搬送量を調整する際に、記録媒体を前記折り目線で折って記録媒体の一辺が前記複数の調整線のうちのどの線に一致するかに基づいて前記搬送量を調整することを特徴とする請求項７に記載の搬送量調整方法。
【請求項９】
インクを吐出する印字ヘッドを搭載して所定の主走査方向に走査するキャリッジを備え、前記主走査方向に直交する副走査方向に所定の搬送量だけ記録媒体を搬送して一時的に停止させて再び前記所定の搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記所定の搬送量を調整する搬送量調整方法において、
前記副走査方向に搬送される記録媒体の、前記主走査方向の長さＷを測定し、
該記録媒体の各辺のうち前記副走査方向に延びる副走査方向一辺から所定距離ａだけ離れた位置において前記副走査方向に延びる折り目線を該記録媒体に形成すると共に、この記録媒体の各辺のうち前記副走査方向下流側の先端辺から距離（Ｗ−ａ）だけこの記録媒体を搬送し、
この記録媒体のうち前記先端辺から（Ｗ−ａ）離れた部分に、前記主走査方向に延びる一本の基準調整線を形成すると共に、この基準調整線よりも前記副走査方向上流側及び下流側で前記基準調整線に平行に延びる、互いに所定間隔離れた複数本の補助調整線を形成し、
前記先端辺が前記折り目線に重なるように折り曲げて、前記副走査方向一辺とは反対側の反対側一辺が前記基準調整線及び前記補助調整線のうちのどの線に一致するかに基づいて前記所定の搬送量を調整することを特徴とする搬送量調整方法。
【請求項１０】
前記複数本の補助調整線を形成する際に、
記録媒体を搬送する搬送装置の最小搬送量及び前記所定間隔双方が等しくなるように前記複数本の補助調整線を形成することを特徴とする請求項９に記載の搬送量調整方法。
【請求項１１】
前記所定の搬送量を調整する際に、
前記複数本の補助調整線のうち前記基準調整線よりも前記副走査方向上流側の補助調整線に前記反対側一辺が一致したときは、この一致した補助調整線が前記基準調整線から離れている距離の分だけ前記所定の搬送量を減少させるように前記所定の搬送量を調整し、一方、
前記複数本の補助調整線のうち前記基準調整線よりも前記副走査方向下流側の補助調整線に前記反対側一辺が一致したときは、この一致した補助調整線が前記基準調整線から離れている距離の分だけ前記所定の搬送量を増加させるように前記所定の搬送量を調整することを特徴とする請求項９又は１０に記載の搬送量調整方法。
【請求項１２】
インクを吐出する印字ヘッドを搭載して所定の主走査方向に走査するキャリッジを備え、前記主走査方向に直交する副走査方向に所定の搬送量だけ記録媒体を搬送して一時的に停止させて再び前記所定の搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記所定の搬送量を調整する搬送量調整方法において、
前記副走査方向に搬送される記録媒体の、前記主走査方向の長さＷを測定し、
この記録媒体の各辺のうち前記副走査方向に延びる副走査方向一辺から所定距離ａだけ離れると共に前記副走査方向下流側の先端辺における位置と、この先端辺から距離（Ｗ−ａ）だけ離れると共に前記副走査方向一辺とは反対側の反対側一辺における位置との間を延びる折り目線を形成しながら、前記先端辺から距離（Ｗ−ａ）だけこの記録媒体を搬送し、
前記副走査方向一辺から距離ａだけ離れると共に前記先端辺から距離（Ｗ−ａ）だけ離れた位置において、前記副走査方向に延びる基準調整線を形成し、且つ、この基準調整線を挟んだ両側でこの基準調整線に平行に延びると共に互いに所定間隔離れた複数本の補助調整線を形成し、
前記記録媒体を前記折り目線で折り曲げて、前記先端辺が前記基準調整線及び前記補助調整線のうちのどの線に一致するかに基づいて前記所定の搬送量を調整することを特徴とする搬送量調整方法。
【請求項１３】
前記複数本の補助調整線を形成する際に、
記録媒体を搬送する搬送装置の最小搬送量及び前記所定間隔双方が等しくなるように前記複数本の補助調整線を形成することを特徴とする請求項１２に記載の搬送量調整方法。
【請求項１４】
前記所定の搬送量を調整する際に、
前記複数本の補助調整線のうち前記基準調整線よりも副走査方向一辺の側の補助調整線に前記先端辺が一致したときは、この一致した補助調整線が前記基準調整線から離れている距離の分だけ前記所定の搬送量を減少させるように前記所定の搬送量を調整し、一方、
前記複数本の補助調整線のうち前記基準調整線よりも反対側一辺の側の補助調整線に前記先端辺が一致したときは、この一致した補助調整線が前記基準調整線から離れている距離の分だけ前記所定の搬送量を増加させるように前記所定の搬送量を調整することを特徴とする請求項１２又は１３に記載の搬送量調整方法。
【請求項１５】
前記搬送量を調整する手順を記録媒体に形成することを特徴とする請求項１から１４までのうちのいずれか一項に記載の搬送量調整方法。